(57)【要約】【課題】  差圧測定装置本体のリプレースまたは、メンテナンスが容易に出来る差圧測定装置のプロセスコネクタを実現する。【解決手段】  一面側に差圧測定装置本体に連通される連通孔と他面側に導圧管が取付けられる導圧孔と前記連通孔と導圧孔とを連結する連結路とが設けられた差圧測定装置のプロセスコネクタにおいて、  前記連結路に設けられ前記連結路を開閉する開閉手段を具備したことを特徴とする差圧測定装置のプロセスコネクタである。【選択図】                    図１
2005221350.tif 000002
【特許請求の範囲】
【請求項１】
一面側に差圧測定装置本体に連通される連通孔と他面側に導圧管が取付けられる導圧孔と前記連通孔と導圧孔とを連結する連結路とが設けられた差圧測定装置のプロセスコネクタにおいて、
前記連結路に設けられ前記連結路を開閉する開閉手段
を具備したことを特徴とする差圧測定装置のプロセスコネクタ。
【請求項２】
前記開閉手段はストップバルブが使用されたこと
を特徴とする請求項１記載の差圧測定装置のプロセスコネクタ。
【請求項３】
前記ストップバルブの中心軸は前記連結路の中心軸に直交する平面に位置すること
を特徴とする請求項２記載の差圧測定装置のプロセスコネクタ。
【請求項４】
前記ストップバルブの中心軸は前記連結路の中心軸と所定の角度を有すること
を特徴とする請求項２記載の差圧測定装置のプロセスコネクタ。
【請求項５】
前記連結路は屈曲して設けられたこと
を特徴とする請求項１乃至請求項４の何れかに記載の差圧測定装置のプロセスコネクタ。
【請求項６】
前記連結路にベント・ドレインプラグが設けられたこと
を特徴とする請求項１乃至請求項５の何れかに記載の差圧測定装置のプロセスコネクタ
【請求項７】
前記ベント・ドレインプラグの前記連結路への接続口は前記開閉手段の前記連結路への接続口より鉛直方向に下側に設けられたこと
を特徴とする請求項６記載の差圧測定装置のプロセスコネクタ。
【発明の詳細な説明】
【技術分野】
【０００１】
本発明は、差圧測定装置本体のリプレースまたは、メンテナンスが容易に出来る差圧測定装置のプロセスコネクタに関するものである。
【背景技術】
【０００２】
差圧測定装置のプロセスコネクタに関連する先行技術文献としては次のようなものがある。
【非特許文献１】稲橋一彦発行、計装メーカが書いたフィールド機器・虎の巻、第１版、          （有）工業技術社、平成１３年４月１７日発行、Ｐ１８，図３−２−１
【０００３】
図６は、従来より一般に使用されている従来例の要部構成説明図で、例えば、稲橋一彦発行、計装メーカが書いたフィールド機器・虎の巻、第１版、（有）工業技術社、平成１３年４月１７日発行、Ｐ１８，図３−２−１に示されている。
【０００４】
プロセスコネクタＡは、一面側が差圧測定装置本体Ｂにガスケットを介してボルトＣで組み付けられている。
他面側には導圧管Ｄが取付けられ、３バルブマニホールドＥが接続されている。
Ｆは差圧測定装置本体Ｂが取付けられる取付パイプである。
Ｇは取付パイプＦに取付られた取付ブラケットである。
【発明の開示】
【発明が解決しようとする課題】
【０００５】
しかしながら、このような装置においては、差圧測定装置のメンテナンス、リプレースの際に３バルブマニホールドＥを操作し、プロセス圧力を遮断しなければならない。
操作しやすい位置に３バルブマニホールドＥがあれば良いが、操作しにくい位置にあった場合は、操作が困難である。
【０００６】
本発明の目的は、上記の課題を解決するもので、差圧測定装置本体Ｂのリプレースまたは、メンテナンスが容易に出来る差圧測定装置のプロセスコネクタを提供することを目的とする。
【課題を解決するための手段】
【０００７】
このような課題を達成するために、本発明では、請求項１の差圧測定装置のプロセスコネクタにおいては、
一面側に差圧測定装置本体に連通される連通孔と他面側に導圧管が取付けられる導圧孔と前記連通孔と導圧孔とを連結する連結路とが設けられた差圧測定装置のプロセスコネクタにおいて、
前記連結路に設けられ前記連結路を開閉する開閉手段を具備したことを特徴とする。
【０００８】
本発明の請求項２においては、請求項１記載の差圧測定装置のプロセスコネクタにおいて、
前記開閉手段はストップバルブが使用されたことを特徴とする。
【０００９】
本発明の請求項３においては、請求項２記載の差圧測定装置のプロセスコネクタにおいて、
前記ストップバルブの中心軸は前記連結路の中心軸に直交する平面に位置することを特徴とする。
【００１０】
本発明の請求項４においては、請求項２記載の差圧測定装置のプロセスコネクタにおいて、
前記ストップバルブの中心軸は前記連結路の中心軸と所定の角度を有することを特徴とする。
【００１１】
本発明の請求項５においては、請求項１乃至請求項４の何れかに記載の差圧測定装置のプロセスコネクタにおいて、
前記連結路は屈曲して設けられたことを特徴とする。
を特徴とする。
【００１２】
本発明の請求項６においては、請求項１乃至請求項５の何れかに記載の差圧測定装置のプロセスコネクタにおいて、
前記連結路にベント・ドレインプラグが設けられたことを特徴とする。
【００１３】
本発明の請求項７においては、請求項６記載の差圧測定装置のプロセスコネクタにおいて、
前記ベント・ドレインプラグの前記連結路への接続口は前記開閉手段の前記連結路への接続口より鉛直方向に下側に設けられたことを特徴とする。
【発明の効果】
【００１４】
以上説明したように、本発明の請求項１によれば、次のような効果がある。
プロセスコネクタに連結路を開閉する開閉手段が設けられたので、差圧測定装置本体のリプレースまたは、メンテナンスの際にプロセス流体を開閉手段で遮断でき、差圧測定装置本体のリプレースまたは、メンテナンスが容易に出来る差圧測定装置のプロセスコネクタが得られる。
【００１５】
本発明の請求項２によれば、次のような効果がある。
ストップバルブによれば、連結路の開閉が確実であり、連結路の開閉が確実に得られる差圧測定装置のプロセスコネクタが得られる。
【００１６】
本発明の請求項３によれば、次のような効果がある。
ストップバルブの中心軸は連結路の中心軸に直交する平面に位置するので、ストップバルブの位置を平面内において自由に配置でき、差圧測定装置本体の位置に関わらずストップバルブを操作し易い位置に配置することが出来る差圧測定装置のプロセスコネクタが得られる。
【００１７】
本発明の請求項４によれば、次のような効果がある。
ストップバルブの中心軸は連結路の中心軸と所定の角度を有するので、ストップバルブの位置を自由に配置でき、差圧測定装置本体の位置に関わらずストップバルブを操作し易い位置に配置することが出来る差圧測定装置のプロセスコネクタが得られる。
【００１８】
本発明の請求項５によれば、次のような効果がある。
連結路は屈曲して設けられたので、ストップバルブのバルブ先端を連結路の開閉が容易に出来る位置に配置できる差圧測定装置のプロセスコネクタが得られる。
【００１９】
本発明の請求項６によれば、次のような効果がある。
連結路にベント・ドレインプラグが設けられたので、ドレン抜きまたは、エア抜きが容易に出来る差圧測定装置のプロセスコネクタが得られる。
【００２０】
本発明の請求項７によれば、次のような効果がある。
ベント・ドレインプラグの連結路への接続口は開閉手段の連結路への接続口より鉛直方向に下側に設けられたので、ドレン抜きまたは、エア抜きが容易に出来る差圧測定装置のプロセスコネクタが得られる。
【発明を実施するための最良の形態】
【００２１】
以下本発明を図面を用いて詳細に説明する。
図１は本発明の一実施例の要部構成説明図、図２は図１の平面図である。
図において、図６と同一記号の構成は同一機能を表す。
以下図６と相違部分のみ説明する。
【００２２】
図において、プロセスコネクタ本体１１の一面側に差圧測定装置本体Ｂに連通される連通孔１２と他面側に導圧管Ｄが取付けられる導圧孔１３と、連通孔１２と導圧孔１３とを連結する連結路１４とが設けられている。
【００２３】
開閉手段１５は、連結路１４に設けられ、連結路１４を開閉する。
この場合は、開閉手段１５はストップバルブが使用されている。
また、この場合は、ストップバルブ１５の中心軸は、連結路１４の中心軸に直交する平面に位置している。
【００２４】
即ち、連結路１４の中心軸に直交する平面内において、ストップバルブ１５のバルブハンドル１５１の操作が容易な位置になるように、ストップバルブ１５の中心軸が配置されている。
【００２５】
また、この場合は、連結路１４は屈曲して設けられている。
ストップバルブ１５の弁の開閉をし易くする為である。
また、この場合は、連結路１４にベント・ドレインプラグ１６が設けられている。
【００２６】
以上の構成において、図６従来例のプロセスコネクタＡは、差圧測定装置本体Ｂと導圧管Ｄとを接続するという役目だけである。
しかし、本実施例においては、プロセスコネクタ本体１１の側面にストップバルブ１５を設けることによりプロセス流体をストップバルブ１５により遮断できるようにしたものである。
【００２７】
また、反対の側面には、ドレン・ベントプラグ１６を配置し、プロセスコネクタ本体１１において、ドレン抜きまたは、エア抜きを可能としたものである。
また、導圧管Ｄの位置に対応して、プロセスコネクタ本体１１の取付方向を変える場合であっても、バルブハンドル１５１を任意の位置に配置できるようにして、コネクタ同士の干渉、あるいは、差圧測定装置本体Ｂが取付けられる取付パイプＦに取付られた取付ブラケットＧとの干渉も防ぐことができる構造にしたものである。
【００２８】
この結果、
プロセスコネクタ本体１１に連結路１４を開閉する開閉手段１５が設けられたので、差圧測定装置本体Ｂのリプレースまたは、メンテナンスの際に、プロセス流体を開閉手段１５で遮断でき、差圧測定装置本体Ｂのリプレースまたは、メンテナンスが容易に出来る差圧測定装置のプロセスコネクタが得られる。
【００２９】
ストップバルブによれば、連結路１４の開閉が確実であり、連結路１４の開閉が確実に得られる差圧測定装置のプロセスコネクタが得られる。
【００３０】
ストップバルブ１５の中心軸は連結路１４の中心軸に直交する平面に位置するので、ストップバルブ１５の位置を平面内において自由に配置でき、差圧測定装置本体Ｂの位置に関わらず、ストップバルブ１５を操作し易い位置に配置することが出来る差圧測定装置のプロセスコネクタが得られる。
【００３１】
連結路１４は屈曲して設けられたので、ストップバルブ１５のバルブ先端を、連結路１４の開閉が容易に出来る位置に配置できる差圧測定装置のプロセスコネクタが得られる。
【００３２】
連結路１４にベント・ドレインプラグ１６が設けられたので、ドレン抜きまたは、エア抜きが容易に出来る差圧測定装置のプロセスコネクタが得られる。
【００３３】
図３は本発明の他の実施例の要部構成説明図である。
本実施例においては、ストップバルブ１５の中心軸は、連結路１４の中心軸と所定の角度を有している。
【００３４】
この結果、ストップバルブ１５の中心軸は、連結路１４の中心軸と所定の角度を有するので、ストップバルブ１５の位置を自由に配置でき、差圧測定装置本体Ｂの位置に関わらずストップバルブ１５を操作し易い位置に配置することが出来る差圧測定装置のプロセスコネクタが得られる。
【００３５】
図４は本発明の他の実施例の要部構成説明図、図５は図４の動作説明図である。
本実施例においては、ベント・ドレインプラグ１６の連結路１４への接続口は、開閉手段１５の連結路１４への接続口より鉛直方向に下側に設けられている。
【００３６】
以上の構成において、図５に示す如く、差圧測定装置本体Ｂに対して、図６従来例と同様に、使用状況により、上下を入れ替えて使用することもある。
このように上下を入れ替えて使用した場合は、図４実施例のようにストップバルブ１５よりも下側にドレン・ベントプラグ１６を取り付けることにより、差圧測定装置本体Ｂ内のドレン抜き、あるいは、エア抜きも可能となる。
【００３７】
この結果、ベント・ドレインプラグ１６の連結路１４への接続口は開閉手段１５の連結路１４への接続口より、鉛直方向に下側に設けられたので、ドレン抜きまたは、エア抜きが容易に出来る差圧測定装置のプロセスコネクタが得られる。
【００３８】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００３９】
【図１】本発明の一実施例の要部構成説明図である。
【図２】図１の平面図である。
【図３】本発明の他の実施例の要部構成説明図である。
【図４】本発明の他の実施例の要部構成説明図であるる。
【図５】図４の動作説明図である。
【図６】従来より一般に使用されている従来例の要部構成説明図である。
【符号の説明】
【００４０】
１１    プロセスコネクタ本体
１２    連通孔
１３    導圧孔
１４    連結路
１５    ストップバルブ
１５１  バルブハンドル
１６    ベント・ドレインプラグ
Ａ      プロセスコネクタ
Ｂ      差圧測定装置本体
Ｃ      ボルト
Ｄ      導圧管
Ｅ      ３バルブマニホールド
Ｆ      取付パイプ
Ｇ      取付ブラケット
【図１】
2005221350.tif 000003
【図２】
2005221350.tif 000004
【図３】
2005221350.tif 000005
【図４】
2005221350.tif 000006
【図５】
2005221350.tif 000007
【図６】
2005221350.tif 000008